(57)【特許請求の範囲】
【請求項１】
表示面を有する表示パネルと、
上記表示パネルの表示面を外部から視認可能に露出させて支持するケースと、
上記ケースを第１姿勢と第２姿勢との間で回動可能に支持する本体と、
第１姿勢と第２姿勢との間で上記ケースを保持する保持機構と、
上記ケースにおいて上記表示面が露出された側であって上記ケースの回動先端部に設けられており、回動方向に向かって押し込み可能なボタンと、
上記ケースに設けられており、上記ボタンの押し操作に連動して、上記保持機構による上記ケースの保持を解除するリンク機構と、を備え、
上記ボタンは、上記ケースにおいて外部に露出されており、押し操作を受ける基部と、
上記基部から押し込み方向へ突出された突出部と、を備えており、
上記リンク機構は、上記突出部と摺接する受け部を有し、上記回動軸線に沿う方向へスライド可能なスライド部材と、
上記スライド部材のスライドに連動して上記保持機構の保持を解除するリンク部材と、を備えており、
上記突出部と上記受け部とが互いに摺接する第１摺接面及び第２摺接面は、上記押し込み方向及び上記スライド部材のスライド方向に対して傾斜されたものである表示装置。
【請求項２】
上記突出部は、上記回動軸線に沿う方向へ複数並べられており、
上記受け部は、上記複数の突出部それぞれと摺接するように複数設けられている請求項１に記載の表示装置。
【請求項３】
上記ボタンは、上記ケースにおいて回動軸線に沿う方向の両端に渡って設けられたものである請求項１又は２に記載の表示装置。
【請求項４】
上記ケースは、上記スライド部材と摺接する第３摺接面を有し、当該第３摺接面は、上記押し込み方向及び上記スライド部材のスライド方向に対して傾斜されたものである請求項１から３のいずれかに記載の表示装置。
【請求項５】
上記表示パネルの表示面に積層されており、入力を受け付けるタッチパネルを更に備えた請求項１から４のいずれかに記載の表示装置。
【請求項６】
表示面を有する表示パネルと、
上記表示パネルの表示面を外部から視認可能に露出させて支持するケースと、
上記ケースを第１姿勢と第２姿勢との間で回動可能に支持する本体と、
第１姿勢と第２姿勢との間で上記ケースを保持する保持機構と、
上記ケースにおいて上記表示面が露出された側であって上記ケースの回動先端部に設けられており、回動方向に向かって押し込み可能なボタンと、
上記ケースに設けられており、上記ボタンの押し操作に連動して、上記保持機構による上記ケースの保持を解除するリンク機構と、を備え、
上記ボタンは、上記ケースにおいて回動軸線に沿う方向の両端に渡って設けられたものである表示装置。
【発明の詳細な説明】
【技術分野】
【０００１】
本発明は、回転させることにより表示角度を変更可能な表示装置に関する。
【背景技術】
【０００２】
従来より、プリンタや、スキャン機能、コピー機能、印刷機能を備えたいわゆる複合機などの画像記録装置等の機器の本体に回動自在に取り付けられ、表示角度を変更可能なパネル状の表示装置が提供されている。この種の表示装置には、表示角度変更後の表示装置を保持する保持機構と、保持機構の解除用の操作部とが備えられたものがある。ユーザは、操作部を押し操作やスライド操作して表示装置の保持を解除し、表示装置を回転させる。
【０００３】
表示装置を保持する保持機構には、例えば、ギアとギアのストッパとを備え、ギアとストッパとの一方が他方の回転を止めるラチェット機構や、表示装置との間に摩擦力を生じさせることで表示装置を保持するものがある。
【０００４】
例えば、ラチェット機構が用いられる場合は、ギアとストッパとの一方は表示装置に取り付けられ、他方は上記機器の本体に取り付けられ、さらに、ギアとストッパとの一方は、ラチェット機構の解除を可能とするために、他方と係合する係合姿勢と、他方と係合しない非係合姿勢とに姿勢変化可能に表示装置又は本体に取り付けられる。姿勢変化可能なギア又はストッパは、リンク機構により操作部と連動するように構成され、操作部が操作されることにより係合姿勢から非係合姿勢に姿勢変化する。
【０００５】
この種の表示装置には、操作部が表示装置に設けられたものと、操作部が機器の本体に設けられたものとがある。特許文献１には、表示装置ではなく操作パネルについての技術ではあるが、上記操作部が操作パネルに設けられたものが記載されている。操作パネルは、操作部である一対のボタンの一方が操作パネルの表示面に交差する左右両側面の一方にそれぞれ設けられている。ユーザは、表示角度を変える場合は、ボタンに指を当てて操作パネルを掴んで保持機構を解除し、操作パネルを掴んだままで操作パネルを回転させる。
【０００６】
特許文献１に記載された技術を表示装置に用いると、表示装置の表示角度を変える場合において、表示装置の保持を解除する動作と、表示装置を回転させる動作とを、表示装置を掴んで回転させるという一連の動作として行うことができる表示装置を実現できる。従って、特許文献１に記載された技術を用いた表示装置では、操作部を本体に設け操作部を操作してから表示装置を回転させる構成の表示装置に比べ、表示角度の変更にかかる手間が少なく、使い勝手がよい。
【先行技術文献】
【特許文献】
【０００７】
【特許文献１】特開平５−１１４２８１号公報
【発明の概要】
【発明が解決しようとする課題】
【０００８】
特許文献１に記載された技術を用いた表示装置では、操作部が表示面に交差する側面に設けられるから、ユーザによる操作部の視認が困難であり、保持の解除が必要でない表示装置と誤認する虞や、ユーザが保持機構の解除を忘れる虞がある。保持機構が解除されないままユーザが表示装置を回転させようとして表示装置に力を加えると、表示装置が破損することがある。
【０００９】
操作部を本体に設けた表示装置では、ユーザに操作部を容易に視認させることができるが、使い勝手が悪くなる。また、ユーザが保持機構の解除を忘れる虞や、操作部が保持機構を解除するためのものとユーザが認識しない場合がある。つまり、操作部が本体に設けられた表示装置では、使い勝手が悪い上に破損の虞もある。
【００１０】
本発明は、上記問題に鑑みてなされたものであり、使い勝手がよく、且つ、ユーザによる破損の虞が少ない表示装置を提供することを目的とする。
【課題を解決するための手段】
【００１１】
(1)  上記目的を達成するために、本発明の表示装置は、表示面を有する表示パネルと、当該表示パネルを支持するケースと、当該ケースを第１姿勢と第２姿勢との間で回動可能に支持する本体と、第１姿勢と第２姿勢との間で上記ケースを保持する保持機構と、当該保持機構の解除用のボタンと、当該ボタンと連動して上記保持機構を解除するリンク機構とを備える。
【００１２】
上記ケースは、上記表示パネルの表示面を外部から視認可能に露出させるように上記表示パネルを支持する。上記ボタンは、上記ケースの回動先端部の上記表示パネルの表示面が露出する側に、回動方向に向かって押し込み可能に取り付けられる。上記リンク機構は、上記ボタンの押し込み動作に連動して上記保持機構を解除する。ユーザにより上記ボタンが押されると、上記リンク機構により上記保持機構が解除され、その後、上記ボタンが押される力により表示装置が回転し、表示角度が変わる。
【００１３】
本発明では、上記ボタンを押す１つの動作により、上記保持機構の解除と、表示装置の回転とを行うことができ、使い勝手のよい表示装置が実現される。
【００１４】
また、上記ボタンを上記表示パネルの表示面が露出する側に設けているから、上記ボタンをユーザに容易に視認させることができ、さらに、上記ケースの回動先端部に上記ボタンを設けるから、表示装置を回転させて表示角度を変えることを望むユーザに対して、上記ボタンを押すことを促すことができる。つまり、表示装置を回転させるために表示装置を押そうとするユーザは、通常、上記ケースのうちでも回動の支点から最も遠い回動先端部を押そうとするので、この回動先端部に上記ボタンが設けられることにより、上記ボタンを押すことをユーザに促すことができるのである。上記ボタンを押すことをユーザに促す効果は、上記保持機構の解除が必要であることを知っているユーザのみならず、知らないユーザに対しても発揮される。上述のように、上記ボタンをユーザに容易に視認させることができ、且つ、上記ボタンを押すことをユーザに促すことができるので、ユーザによる破損の虞の少ない表示装置が実現される。
【００１５】
(2)  上記ボタンは、上記ケースの回動軸線に沿う方向における上記ケースの全長に渡って設けられることが望ましい。上記表示パネルの表示面が露出する側における上記ケースの一面の回動先端部の全領域が上記ボタンにより覆われるので、上記ボタンを押すことをユーザに促す効果を高めることができ、その結果、ユーザによる破損の虞を更に低減できるからである。
【００１６】
(3)  上記ボタンは、上記表示パネルの表示面側に露出し押し操作を受ける基部と、当該基部が押し込まれる向きに当該基部に突設されると共に上記ケースの回動軸線に沿う方向に並ぶ複数の突出部とを備える。上記リンク機構は、上記突出部とそれぞれ摺接する複数の受け部を有し上記回動軸線に沿う方向にスライド可能なスライド部材と、当該スライド部材のスライドに連動して上記保持機構を解除するリンク部材とを備える。
【００１７】
上記各突出部と上記各受け部とは、互いに摺接する第１摺接面と第２摺接面との一方をそれぞれ備える。当該第１摺接面と第２摺接面とは、上記ボタンが押し込まれる押し込み方向及び上記スライド部材の上記スライド方向に対して傾斜する。
【００１８】
上記第１摺接面と第２摺接面とは、上記ボタンが押し込まれる押し込み方向及び上記回動軸線に沿う方向に対して傾斜するから、上記ボタンの押し込み方向の変化を上記回動軸線に沿う方向の変化に変えることができる。上記ケースの厚み方向である上記押し込み方向にリンク部材を移動させる構成では、上記ケースの厚みを厚くしなければ上記リンク部材の可動範囲を確保できないが、上記ボタンの押し込み方向の変化を上記回動軸線に沿う方向の変化に変えることで、上記リンク部材を上記表示パネルの表示面に沿う面内で移動させることができ、その結果、上記ケースの厚みを厚くすることなく上記リンク部材により保持機構を解除することができ、薄型化した表示装置を実現できる。
【００１９】
また、上記回動軸線に沿う方向に並ぶ上記複数の突出部を複数の受け部で受けることで、上記ボタンに加えられた力が上記回動軸線に沿う方向において分散して上記スライド部材に伝達され、上記回動軸線に沿う方向において上記スライド部材に加わる力の均一化を図ることができ、スライド部材が傾くことを防止でき、また、上記ボタンの基部に複数の突出部を設けることで、上記スライド方向において上記ボタンの基部が撓むことを防止でき、その結果、上記スライド部材を上記スライド方向にスムースにスライドさせることができると共に、上記ボタンの基部を薄くして表示装置を薄型化することができる。
【００２０】
(4)  上記ケースは、上記スライド部材と摺接する第３の摺接面を備え、当該第３の摺接面は、上記ボタンが押し込まれる押し込み方向及び上記スライド部材のスライド方向に対して傾斜することが望ましい。上記スライド部材の摺動抵抗の増加を抑えながら、上記押し込み方向に対して上記スライド部材を支持できるからである。
【００２１】
(5)  入力を受け付けるタッチパネルを上記表示パネルに積層した表示装置に本発明を用いることが望ましい。ユーザにより上記タッチパネルが押された際に、上記保持機構により表示装置が保持されることにより表示角度が変わることを防止できるからである。
【発明の効果】
【００２２】
ボタンを押すという１つの動作で保持機構の解除と表示角度の変更とを行うことができ、また、保持機構が解除されない状態でユーザにより回転される虞が少なくなり、その結果、使い勝手が良く、且つ、ユーザによる破損の虞が少ない表示装置が実現される。
【図面の簡単な説明】
【００２３】
【図１】本実施形態の表示装置を備えた複合機の斜視図である。
【図２】第１姿勢にあるときの表示装置の斜視図である。
【図３】第２姿勢にあるときの表示装置の斜視図である。
【図４】カバー及び表示パネルがない状態の表示装置の斜視図である。
【図５】カバー、表示パネル及びボタンがない状態の表示装置の斜視図である。
【図６】ボタン、リンク機構及びベースの斜視図である。
【図７】上端部が破断した表示装置の斜視図である。
【図８】右端部が破断した表示装置の斜視図である。
【図９】ラチェット機構を示す図である。
【図１０】変形例を示す斜視図で、（Ａ）は変形例１を、（Ｂ）は変形例２を示す。
【発明を実施するための形態】
【００２４】
以下、適宜図面が参照され、本発明の表示装置２０の好ましい実施形態についての説明がされる。また、以下では、本発明の表示装置２０を画像記録装置である複合機１に用いた例が説明される。複合機１は、後述するように、スキャン機能、印刷機能、コピー機能、ファックス機能を備える。なお、以下に説明される実施形態は本発明の一例であり、本発明は本実施形態に限定されず、プリンタなど複合機１以外の画像記録装置や、表示装置２０が取り付けられる筐体を備えた他の機器に用いられることができる。
【００２５】
複合機１は、図１に示されたように、外形直方体状に形成される。以下では、複合機１の高さ方向が上下方向５と定義され、奥行き方向が前後方向６と定義され、幅方向が左右方向９と定義されて説明がされる。
【００２６】
複合機１は、大別して、外形を形成する本体１０及び天板２と、本体１０に収納された図示されないスキャナ部及びプリンタ部と、記録用紙などの被記録媒体を収納する給紙カセット３と、スキャナ部及びプリンタ部の動作を制御する図示されない制御部と、を備える。本体１０の前面１１には給紙カセット３を引き出すための開口１２が開設される。本体１０における開口１２の奥には、図示されないガイドレールが前後方向６に設けられる。給紙カセット３の左右両側面には、ガイドレールに嵌合する図示されない嵌合部が設けられる。ユーザは、給紙カセット３を手前に引き出すことで被記録媒体を給紙カセット３にセットする。制御部は、例えば、本体１０に収納された制御基板に実装されるマイコンや種々の電子部品により実現される。本発明は、制御に関するものではないので、制御部による複合機１の具体的な制御については説明が省略される。
【００２７】
天板２は、本体１０の上面の後部側に載置され、蝶番などの図示されないヒンジ部材を用いて後端が本体１０に取り付けられる。つまり、天板２は、後端を支点に回転するように本体１０に取り付けられる。天板２の前端部には、ユーザが指を掛ける引掛部２Ｂが設けられる。図示例では、引掛部２Ｂは、天板２の上面２Ａから盛り上がるように設けられている。ユーザは、引掛部２Ｂに指を掛けることで天板２を開き、画像取り込みを行いたい原稿を天板２と本体１０との間にセットする。セットされた原稿の画像は、スキャナ部により走査されて画像データとして取り込まれる。スキャナ部には周知の構成のものが用いられ、詳細は省略される。
【００２８】
本体１０には、パソコンやデジタルカメラなどの他の機器や電話回線との接続用の図示されないコネクタが設けられる。スキャナ部により取り込まれた画像データは、コネクタからパソコンなどの他の機器に転送されたり、電話回線に送出されたり、プリンタ部により、給紙カセット３にセットされた被記録媒体に画像として記録される。また、プリンタ部は、パソコンなどの他の機器や電話回線から入力した画像データを被記録媒体に画像として記録する。すなわち、スキャナ部及びプリンタ部により、スキャン機能、印刷機能、コピー機能、ファックス機能が実現される。プリンタ部には、周知の構成のものが用いられる。例えば、給紙カセット３から画像を記録する記録部に被記録媒体を搬送する給紙搬送路と、画像が記録された被記録媒体を記録部から排出する排紙搬送路と、被記録媒体を給紙カセット３から給紙搬送路に送り出す給紙ローラ及び被記録媒体を搬送する複数の搬送ローラと、によりプリンタ部が構成される。
【００２９】
以下、表示装置２０と、表示装置２０が取り付けられる本体１０と、表示装置２０を本体１０に取り付けるための取付部材４及び操作カバー１８とについて詳しく説明がされる。
【００３０】
［本体１０］
本体１０の上部の前端部１４には、図４に示された取付部材４を取り付けるための窪みである図示されない取付部が設けられる。当該取付部の周壁には、上述された制御基板と後述される操作基板とを電気的に接続するための第１の接続ケーブルが挿通される図示されない挿通孔が貫設される。
【００３１】
［取付部材４］
取付部材４は、本体１０に設けた上述の取付部に嵌め込まれ、取付ねじや、スナップフィット用の係合爪などを用いて本体１０に取り付けられる。取付部材４には、表示装置２０が嵌め込まれる凹所４Ａが設けられる。取付部材４における凹所４Ａの左右方向９の両脇には、表示装置２０を回動自在に支持するための軸受１７Ａ、１７Ｂが設けられる。図４において、凹所４Ａの右側に設けられた軸受１７Ａは、丸筒状に形成され、凹所４Ａの左側に設けられた軸受１７Ｂは、操作カバー１８の外部に露出する側の面である表面側に開放された凹所状に形成される。軸受１７Ａ、１７Ｂには、後述するように表示装置２０が備える左右一対の支軸２５の一方がそれぞれ嵌め込まれる。つまり、表示装置２０は軸受１７Ａ、１７Ｂにより回動自在に支持される。
【００３２】
［操作カバー１８］
操作カバー１８は、取付部材４の表面側に、スナップフィット用の係合爪などを用いて装着され、軸受１７Ａ、１７Ｂを覆う。つまり、操作カバー１８は、軸受１７Ａ、１７Ｂをユーザから隠すと共に、軸受１７Ｂの開口を塞ぎ、表示装置２０に設けた後述の支軸２５を凹所４Ａ内に閉じ込めて表示装置２０がユーザにより取り外せないようにする。また、操作カバー１８は、操作カバー１８と天板２との一体感を醸し出すために、外部に露出する表面が天板２の上面２Ａと面一になるように形成される。
【００３３】
操作カバー１８には、図１に示されたように、表示装置２０を外部に露出させる露出窓１８Ａと、操作スイッチを外部に露出させる開口１８Ｂとが開設される。ユーザは、外部に露出した操作スイッチを操作することによりファックス番号の入力や、コピーや印刷の開始、印刷枚数の設定等、種々の設定入力を行う。
【００３４】
［表示装置２０］
表示装置２０は、表示パネル２１と、表示パネル２１を保持するケース２２と、本発明の保持機構に相当するラチェット機構３０と、ラチェット機構３０の解除用のボタン２６と、ボタン２６の押し操作に連動してラチェット機構３０を解除するリンク機構４０とを備える。
【００３５】
［表示パネル２１］
表示パネル２１にはパネル状のものが用いられる。例えば、液晶ディスプレイや、有機ＥＬディスプレイなどが表示パネル２１に用いられる。但し、表示パネル２１は、液晶ディスプレイや有機ＥＬディスプレイに限られるものではなく、パネル状のものであればよい。液晶ディスプレイなどが表示パネル２１に用いられる場合は、歩留まりなどを考慮して表示パネル２１は矩形状に形成される。但し、三角形や五角形などの多角形や、円形など、矩形以外の形状に表示パネル２１を形成することもできる。以下では、矩形板状の液晶ディスプレが表示パネル２１に用いられたものとして説明がされる。また、以下では、表示パネル２１の厚み方向が表示装置２０の前後方向７として定義され、表示パネル２１の表示面の一辺に沿う方向のうち短手方向が表示装置２０の上下方向８として定義され、説明がされる。表示装置２０は、後述するように、表示パネル２１の長手方向が複合機１の左右方向９に一致するように本体１０に取り付けられる。
【００３６】
表示パネル２１の表示面である前面側には、図示しない透明なタッチパネルが重ねられる。タッチパネルには、抵抗膜方式や静電容量結合方式のものなど種々の方式のものが使用可能である。つまり、ユーザの指が触れただけで入力を受け付けるタッチパネルや、ユーザに押し操作されることで入力を受け付けるタッチパネルが用いられる。タッチパネルの構成は周知であるから、詳細は省略される。
【００３７】
ユーザは、透明なタッチパネルを介して表示パネル２１に表示された文字や図形を視認する。ユーザは、表示パネル２１に表示された文字や図形に誘導されてタッチパネルや操作スイッチを操作する。ユーザがタッチパネルを押すことで入力が行われると、当該入力が上述の接続ケーブルを介して制御部に入力され、スキャナ部やプリンタ部が動作する。なお、タッチパネルにおいて全ての操作入力が行われる構成を採用することで、上述の操作スイッチを省くことができる。
【００３８】
［ケース２２］
ケース２２は、図３又は図４に示されたように、合成樹脂材料で矩形板状に形成されたベース２３と、ベース２３の前面側に、図示されない取付ネジと、後述の引掛爪及び爪受け２３Ｄとを用いて取着される合成樹脂成形品であるカバー２４とを備え、前後方向７の厚みの薄い外形直方体状の箱に形成される。
【００３９】
ベース２３の下端部には、上記取付ネジが挿通される挿通孔２３Ａが貫設され、ベース２３の上端面には、カバー２４の上端面に突設した図示されない引掛爪が引っ掛かる左右一対の爪受け２３Ｄが設けられる。カバー２４の下端部における上述の挿通孔２３Ａに対応する位置には、取付ねじがねじ込まれる図示されないねじ込み孔が設けられる。引掛爪を爪受け２３Ｄに引っ掛けてカバー２４の上端部とベース２３の上端部とを固定した後、取付ねじをベース２３の後面側から挿通孔２３Ａに挿通し、カバー２４に設けたねじ込み孔にねじ込むことでベース２３にカバー２４を取り付ける。
【００４０】
表示パネル２１は、ベース２３とカバー２４との間に配置され、ベース２３とカバー２４とに挟まれて固定される。カバー２４には、表示パネル２１の表示面を表示装置２０の前面側に露出させる露出窓２４Ａが開設される。
【００４１】
ケース２２の左右両側面の下端部には、図７に示されたように、本体１０に設けた上述の軸受１７Ａ、１７Ｂ（図４参照）に回動自在に支持される左右一対の支軸２５の一方がそれぞれ突設される。支軸２５は円柱状に形成される。ケース２２は、一方の支軸２５を丸筒状に形成された軸受１７Ａに挿通した後、他方の支軸２５を軸受１７Ｂに嵌め込むことで取付部材４の凹所４Ａに嵌め込まれる。
【００４２】
ケース２２を凹所４Ａに嵌め込んだ後、取付部材４の表面側に上述の操作カバー１８が、スナップフィット用の係合爪などを用いて装着される。すなわち、ケース２２に設けられた支軸２５が、軸受１７Ａ、１７Ｂと操作カバー１８とにより支持される。別言すると、表示装置２０が回動自在に本体１０に支持される。なお、上述では支軸２５が表示装置２０に設けられ、軸受１７Ａ、１７Ｂが本体側に設けられた例が説明されたが、支軸２５が本体１０側に設けられ、軸受１７Ａ、１７Ｂが表示装置２０に設けられた構成であってよい。また、支軸２５と軸受１７Ａ，１７Ｂとで表示装置２０を回動自在とする構成は一例であって、周知の回動機構により表示装置２０が回動自在に本体１０に取り付けられる構成とすることができる。
【００４３】
上述されたように、表示装置２０は、支軸２５周りに回動自在である。つまり、表示装置２０は、下端部を支点に回動自在である。従って、表示装置２０は、取付部材４に設けた凹所４Ａに嵌りケース２２の前面が操作カバー１８の表面と面一である図２の第１姿勢と、前面が操作カバー１８の表面と略直交する起立した図３の第２姿勢との間で姿勢変化することができる。支軸２５の中心軸が本発明の回動軸線に相当する。
【００４４】
ケース２２の下端部には、上述の第２の接続ケーブルをケース２２内に引き込むための図示されない引き込み孔が貫設される。また、図７に示されたように、ケース２２のベース２３の前面の上端部には、後述されるリンク機構４０のスライド部材４１を支持するための支持リブ２３Ｂが突設される。本発明の第３の摺接面である支持リブ２３Ｂの前端面は、前後方向７と左右方向９とに対して傾斜するように設けられる。
【００４５】
また、ベース２３の前面の右端部には、図４に示されたように、円柱状の支軸２３Ｃが突設される。支軸２３Ｃは、後述されるように、リンク機構４０のリンク部材４５に設けた挿通孔４６Ａに挿通される。すなわち、支軸２３Ｃによりリンク部材４５が回動自在に支持される。ここに、支軸２３Ｃの突出寸法は、リンク部材４５が支軸２３Ｃから脱落しないように、支軸２３Ｃの先端がカバー２４の後面に当接又は当該後面に近接するように設定される。
【００４６】
［ラチェット機構３０］
ラチェット機構３０は、図９に示されたギア３１とストッパ３２とで構成される。ギア３１は本体１０側に配され、ストッパ３２は表示装置２０側に配される。以下、ギア３１とストッパ３２とについて詳しく説明がされる。
【００４７】
［ストッパ３２］
ストッパ３２は、図４に示された合成樹脂成型品であるハウジング３３を用いてケース２２のベース２３に取り付けられる。ストッパ３２は、ハウジング３３の右側面から先端部が突出するようにハウジング３３に取り付けられる。ハウジング３３には、ストッパ３２を揺動自在とするための板ばねなどの弾性部材が収納される。ストッパ３２は、後述されるように、当該弾性部材の弾性力により、ギア３１の歯３４に押圧される。
【００４８】
ハウジング３３は、図５において、ベース２３の前面の下端部の右端に配置される。また、ハウジング３３は、後述されるようにストッパ３２の右方に配されたギア３１にストッパ３２が係合する図９（Ｃ）に示された係合姿勢と、ストッパ３２がギア３１の左方にあってギア３１から離間した図９（Ｄ）に示された非係合姿勢との間でストッパ３２が姿勢変化可能なように、左右方向９においてスライド自在にベース２３に取り付けられる。例えば、ハウジング３３の後面に凸部が突設され、ベース２３の前面に、左右方向９に沿って当該凸部が嵌るスライド溝が凹設され、当該凸部がスライド溝内を摺動することによりハウジング３３が左右方向９にスライドする。
【００４９】
また、ハウジング３３の前面には、  円柱状の支軸３３Ａが突設される。支軸３３Ａは、後述されるように、リンク機構４０のリンク部材４５に設けた挿通孔４８Ａに挿通され、リンク部材４５の回転に合わせてハウジング３３を移動させる機能を有する。支軸３３Ａの突出寸法は、リンク部材４５が支軸３３Ａから外れないように、支軸３３Ａの先端がカバー２４の後面に当接するように設定される。また、支軸３３Ａの先端がカバー２４の後面に当接することでハウジング３３の前後方向７の移動が禁止され、ハウジング３３は左右方向９にのみ移動する。
【００５０】
図４におけるハウジング３３の左方には、スプリングばね３７が配される。スプリングばね３７の左端はケース２２に設けた図示されない支持部に当接することで支持され、右端はハウジング３３の左側面に当接する。スプリングばね３７の弾性力によりハウジング３３が右方の係合姿勢側に付勢される。従って、ボタン２６が押し操作されていない通常状態では、ハウジング３３に保持されたストッパ３２は、係合姿勢にあって、ギア３１と係合する。
【００５１】
［ギア３１］
ギア３１は、図５におけるハウジング３３の右方に配置され、取付部材４に固定される。ギア３１の歯３４は、ケース２２が第１姿勢から第２姿勢に起こされる向きに正回転する際にストッパ３２が摺接する曲面３５と、ストッパ３２に当接してケース２２の逆回転を止めるストップ面３６とを具備するのこぎり状に形成される。
【００５２】
ストッパ３２は、上述されたように、弾性部材によりハウジング３３に揺動自在に保持されている。表示装置２０が第１姿勢から第２姿勢側に向かうように正回転されると、ストッパ３２の先端部は、ギア３１の歯３４の曲面３５に摺接し、板ばねなどからなる弾性部材が変形することにより変位して曲面３５を乗り越え、曲面３５を乗り越えた時点で弾性部材の弾性力により変位して歯３４のストップ面３６に当接し、ストップ面３６により、表示装置２０が第２姿勢から第１姿勢に向かう向きの回転である逆回転が禁止される。すなわち、表示装置２０は、ストッパ３２がギア３１の歯３４のストップ面３６に当接することで逆回転が禁止される。従って、表示装置２０は、ギア３１の歯３４の個数に応じて、段階的に表示角度を変えることができると共に、各段階おいてラチェット機構３０により保持される。図９に示された例では、表示装置２０は３段階で表示角度を変えることができる。ラチェット機構３０により表示装置２０の逆回転を止めることができるから、ユーザによりタッチパネルが押されても、表示角度が保たれる。
【００５３】
［ボタン２６］
ボタン２６は、図７、図８に示されたように、ケース２２の回動先端部である上端部に、表示装置２０の前面側に露出するように取り付けられる。ボタン２６は、左右方向９に長い板状に形成された合成樹脂成形品である基部２７と、基部２７の左右両端から後方に突出する左右両側壁２７Ａと、基部２７の上端の左右両端部から後方に突出する上壁２７Ｂと、基部２７の後面に突設された複数個の突出部２８とを備える。ボタン２６は、基部２７が表示装置２０の前面側に露出し、左右両側壁２７Ａ及び上壁２７Ｂがカバー２４の側壁を覆うように配置される。ボタン２６は、左右両側壁２７Ａの内側面及び上壁２７Ｂの内側面がカバー２４の側壁の外側面に摺接することで、表示パネル２１の厚み方向である前後方向７にスライドする。つまり、基部２７は、ケース２２が回動する方向である後方に押し操作が可能である。なお、ケース２２に、前後方向７に沿うガイド溝が凹設され、ボタン２６に、ガイド溝に嵌る凸部が突設されることで、ボタン２６が前後方向７にスライド自在である構成とされてもよい。
【００５４】
また、基部２７は、ケース２２の左右方向９の全長に渡って設けられ、ケース２２の回動先端部である上端部の全面を覆う。すなわち、ユーザが表示装置２０の回動先端部を押す場合は、必ずボタン２６が押されることになる。ユーザがボタン２６を押した場合の表示装置２０の動作については後で詳説される。
【００５５】
ボタン２６は、ケース２２の前面から基部２７が前方に突出するようにケース２２に取り付けられる。すなわち、表示装置２０が取付部材４の凹所４Ａに嵌った第１姿勢にある場合において、上述されたようにケース２２の前面は操作カバー１８の表面と面一であるから、ボタン２６の基部２７は操作カバー１８の表面から突出する。表示装置２０が取付部材４の凹所４Ａに嵌った第１姿勢にある場合において、ユーザは、操作カバー１８の表面から突出するボタン２６の上壁２７Ｂに指を掛けることで表示装置２０を前方に引き起こし、表示装置２０の表示角度を変えることができる。なお、天板２の上面２Ａの一部を操作カバー１８の表面よりも落とすことで、ボタン２６の上壁２７Ｂ又はケース２２の上端を更に外部に露出させ、ユーザが表示装置２０を前方に引き起こすことを容易にすることができる。
【００５６】
ボタン２６の突出部２８は、ケース２２の回動軸線に沿う方向である左右方向９に並ぶように複数設けられる。本発明の第１又は第２の摺接面に相当する突出部２８の後面２８Ａは、前後方向７と左右方向９とに対して傾斜する傾斜面に形成される。突出部２８は、後述されるように、ボタン２６の前後方向７の変化を左右方向９の変化に変換する機能を有する。また、ボタン２６の基部２７とケース２２のベース２３との間には、スプリングばね２９が配置される。スプリングばね２９の後端はベース２３に当接することで支持され、前端はボタン２６の基部２７の後面に当接する。スプリングばね２９によりボタン２６の基部２７はベース２３に対して前方に付勢される。スプリングばね２９は、ボタン２６の基部２７がベース２３に対して傾かないように、ケース２２の左右両端部に１個づつ設けられる。
【００５７】
［リンク機構４０］
リンク機構４０は、ボタン２６の突出部２８を受ける合成樹脂成形品であるスライド部材４１と、スライド部材４１とハウジング３３とを連動させる合成樹脂成形品であるリンク部材４５とを備える。
【００５８】
［スライド部材４１］
スライド部材４１は、図６及び図７に示されたように、左右方向９に長い棒状の基部４２と、基部４２に突設された複数個の受け部４３とを備える。なお、図６において、ベース２３の一部が省略されている。各受け部４３は、前後方向７においてボタン２６の突出部２８の１つとそれぞれ対向するようにそれぞれ設けられ、左右方向９において並ぶ。受け部４３には、傾斜面に形成された突出部２８の後面２８Ａに摺接する摺接面４３Ａ（本発明の第１又は第２の摺接面に相当する）が設けられる。摺接面４３Ａは、突出部２８の後面と同様に、前後方向７と左右方向９とに対して傾斜する傾斜面に形成される。
【００５９】
ボタン２６の基部２７がユーザにより押されると、突出部２８の後面２８Ａと受け部４３の摺接面４３Ａとが摺接し、スライド部材４１が左右方向９にスライドする。すなわち、突出部２８の後面２８Ａと、受け部４３の摺接面４３Ａとにより、ボタン２６の前後方向７の動きが、スライド部材４１の左右方向９の動きに変わる。本実施形態では、突出部２８の後面２８Ａの傾斜の向きは、図３においてスライド部材４１が右方向にスライドするように設定されている。
【００６０】
スライド部材４１の後面４１Ａは、ベース２３に設けられた上述の支持リブ２３Ｂの前端面と同様に、前後方向７と左右方向９とに対して傾斜する傾斜面に形成され、支持リブ２３Ｂの前端面が当接する。すなわち、スライド部材４１は、支持リブ２３Ｂにより支持される。支持リブ２３Ｂの前端面が傾斜面に形成されることにより、スライド部材４１の摺動抵抗の増加を抑えながらもベース２３によりスライド部材４１を支持することができる。摺動抵抗の増加を抑えることができるから、スライド部材４１をスムースにスライドさせることができる。
【００６１】
左右方向９におけるスライド部材４１の後面の端部には、円柱状の支軸４４が突設される。支軸４４は、後述されるように、リンク機構４０のリンク部材４５に設けた挿通孔４７Ａに挿通され、スライド部材４１に連動してリンク部材４５を支軸２３Ｃの周りに回転させる機能を有する。支軸４４の突出寸法は、リンク部材４５が支軸４４から外れないように、支軸４４の先端がカバー２４の後面に当接又は当該後面に近接するように設定される。
【００６２】
［リンク部材４５］
リンク部材４５は、図５及び図８に示されたように、折曲部４６で上下一対のアーム４７、４８が鈍角で交わる棒状に形成される。上側のアーム４７の上端部には、スライド部材４１に設けた支軸４４が挿通される挿通孔４７Ａが貫設される。下側のアーム４８の下端部には、ハウジング３３に設けた支軸３３Ａが挿通される挿通孔４８Ａが貫設される。さらに、折曲部４６には、ケース２２のベース２３に設けた支軸２３Ｃが挿通される挿通孔４６Ａが貫設される。
【００６３】
リンク部材４５は、ボタン２６がユーザにより押されて上述されたようにスライド部材４１が図５における右方に移動すると、支軸４４と挿通孔４７Ａとによりスライド部材４１と係合するリンク部材４５のアーム４７の上端部がスライド部材４１と共に右方に移動する。アーム４７の上端部が右方に移動することで、リンク部材４５は支軸２３Ｃ周りに、図５における時計回りに回転する。リンク部材４５が時計回りに回転することで、リンク部材４５のアーム４８の下端部が左方に移動する。アーム４８の下端部が左方に移動することで、挿通孔４８Ａと支軸３３Ａとによりアーム４８の下端部と係合するハウジング３３がスプリングばね３７の付勢力に抗して左方に移動する。ハウジング３３が左方に移動することでハウジング３３に保持されたストッパ３２がギア３１から離れ、ラチェット機構３０のロックが解除される。すなわち、ユーザがボタン２６を押すことでラチェット機構３０が解除される。ラチェット機構３０が解除されると、ボタン２６が押される力によりケース２２が逆回転して後方に倒れる。すなわち、ボタン２６を押す１つの動作によりラチェット機構３０の解除と表示角度の変更とを行うことができる。
【００６４】
また、ラチェット機構３０が解除されケース２２がラチェット機構３０により保持されなくなることによりケース２２がスプリングばね２９の付勢力によりボタン２６に対して後方に移動し、ボタン２６が元の位置に復帰すると共に、スプリングばね３７の付勢力によりハウジング３３が左方にスライドしてストッパ３２が非係合姿勢から係合姿勢に姿勢変化し、表示装置２０がラチェット機構３０により再び保持される。つまり、表示装置２０は、第２姿勢側から第１姿勢側に移動する逆回転の場合は、１段階ずつ表示角度が変わる。表示角度の変更が段階的に行われるから、表示装置２０が取付部材４に勢いよく衝突することがなく、ユーザによる表示装置２０の破損の虞が少なくなる。
【００６５】
［本実施形態の効果］
本発明の表示装置２０は、ラチェット機構３０の解除と、表示装置２０を逆回転させる動作とをボタン２６を押すという１つの動作で行うことができ、使い勝手がよい。また、ボタン２６を表示装置２０の前面側に設けているから、ユーザにボタン２６を容易に視認させることができ、さらに、回動の支点となるケース２２の下端部から最も遠い回動先端部である上端部にボタン２６を設けるから、表示装置２０を逆回転させることを望むユーザに対して、ボタン２６を押すことを促すことができる。つまり、表示装置２０を逆回転させるためにケース２２を押そうとするユーザは、通常、回動の支点から最も遠い回動先端部である上端部を押そうとするが、ボタン２６を当該回動先端部に設けることにより、ボタン２６を押し操作することをユーザに促すことができる。ボタン２６が視認され易く、且つ、ボタン２６を押し操作することをユーザに促すことができるので、ユーザによる破損の虞が低減する。結果、使い勝手がよく、且つ、ユーザによる破損の虞が少ない表示装置２０が実現される。
【００６６】
また、ラチェット機構３０の解除用のボタン２６の基部２７は回動先端部であるケース２２の上端部の全面を覆うから、ユーザが表示装置２０の回動先端部を押す場合は必ずボタン２６を押すことになり、ユーザによる破損の虞が更に低減される。
【００６７】
また、複数の突出部２８を左右方向９に並ぶように配置しているから、ボタン２６の基部２７の端をユーザが押すことがあっても、基部２７を押す力が突出部２８で左右方向９に分散されてスライド部材４１に伝達され、左右方向９におけるスライド部材４１に加わる力の均一化を図ることができる。また、多数の突出部２８を左右方向９に沿って設けることにより、突出部２８を基部２７に少数設けた場合や、突出部２８が１個のみである場合に比べ、左右方向９における基部２７の撓みを防止することができる。更に、支持リブ２３Ｂの前端面を傾斜面に形成することで、スライド部材４１を支持しながらもスライド部材４１の摺動抵抗の増加を抑えることができる。左右方向９におけるスライド部材４１に加わる力の均一化を図ることができ、且つ、左右方向９における基部２７の撓みを防止することができ、更に、スライド部材４１の摺動抵抗の増加を抑えたので、スライド部材４１が左右方向９にスムースにスライドすることができる。
【００６８】
また、上述されたように複数の突出部２８で基部２７の撓みを防止できるので、基部２７の厚みを小さく設定して基部２７を薄くすることができ、ボタン２６により表示装置２０の厚みが大きくなることを防止でき、その結果、厚みの薄い表示装置２０を実現できる。
【００６９】
また、スライド部材４１によりボタン２６の前後方向７の動きを左右方向９の動きに変えることができるので、リンク部材４５を表示パネル２１の表示面に沿った面内で移動させることができる。スライド部材４１によりボタン２６の前後方向７の動きを左右方向９の動きに変えない場合は、リンク部材４５やストッパ３２が前後方向７に移動することになり、リンク部材４５やストッパ３２の可動範囲を確保するためにケース２２の厚みを大きくしなければならず、その結果、表示装置２０を薄型化することができなくなる。本発明では、リンク部材４５を表示パネル２１の表示面に沿った面内で移動させることができるから、表示装置２０の厚みが大きくなることを防止でき、その結果、表示装置２０を薄型化できるのである。
【００７０】
なお、本実施形態ではストッパ３２をケース２２に取り付け、ギア３１を本体１０に取り付けた構成を説明したが、ストッパ３２を本体１０に取り付け、ギア３１をケース２２に取り付ける構成であってもよい。また、ストッパ３２を姿勢変化可能とする構成を説明したが、ギア３１を姿勢変化可能とする構成とすることもできる。すなわち、ストッパ３２をケース２２に姿勢変化可能に取り付け、ギア３１を本体１０に固定した構成、ストッパ３２をケース２２に固定し、ギア３１を本体１０に姿勢変化可能に取り付けた構成、ストッパ３２を本体１０に姿勢変化可能に取り付け、ギア３１をケース２２に固定した構成、ストッパ３２を本体に固定し、ギア３１をケース２２に姿勢変化可能に取り付けた構成の、４つの構成のいずれの構成にすることもできる。
【００７１】
また、本実施形態では、ラチェット機構３０により表示装置２０を段階的に保持する構成を説明したが、ラチェット機構３０の代わりに、本体ケース２２に当接することで本体ケース２２に摩擦力を働かせ、当該摩擦力により本体ケース２２の回転を止めて表示装置２０を保持する保持部材を備えた周知の保持機構を用いることもできる。当該保持部材は、例えば、ケース２２に当接してケース２２との間に摩擦力を生じさせる位置と、ケース２２から離間する位置との間で移動自在にケース２２に取り付けられる。また、上記保持部材は、リンク機構４０によりボタン２６の押し操作に連動して移動される。この保持機構を用いてケース２２を段階的に保持する表示装置においても、ボタン２６を回動先端部に設け、ボタン２６が押される向きとケース２２の回動の向きとを一致させることで、使い勝手がよく、且つ、ユーザによる破損の虞の少ない表示装置２０を実現することができる。
【００７２】
［変形例１］
本変形例では、図１０（Ａ）に示されたように、ボタン２６は２個の基部２７を備える。基部２７は、ケース２２の上端部の左右両端部にそれぞれ１個ずつ配置される。つまり、右利きのユーザ用と、左利きのユーザ用の２個の基部２７がケース２２に配置される。２つの基部２７には、それぞれ突出部２８が設けられる。従って、いずれの基部２７が押されても、ラチェット機構３０は解除される。
【００７３】
また、ケース２２のベース２３とカバー２４との間に配置された図示されない連結部で２つの基部２７が連結されてもよい。つまり、ユーザに見えない場所で２つの基部２７は互いに連結される。２つの基部２７を連結することでスライド部材４１に加わる力を左右方向９において均一化することができる。なお、２つの基部２７を連結する場合は、一方の基部２７にのみ突出部２８を設けてもよい。いずれの基部２７が押されても、２つの基部２７が連動して移動し、ラチェット機構３０は解除される。
【００７４】
なお、２つの基部２７を連結する代わりに、２つのリンク部材４５をケース２２内に配して、各基部２７とハウジング３３とを２つのリンク部材４５の一方でそれぞれ連動させる構成とすることもできる。
【００７５】
ケース２２に２つの基部２７を設けたことにより、左右方向９における基部２７の長さ寸法を小さくでき、その結果、基部２７を押す場所によって基部２７がスムースにスライドしない虞を低減することができる。
【００７６】
［変形例２］
本変形例では、図１０（Ｂ）に示されたように、ボタン２６は、３つの基部２７を備える。基部２７は、左右両端と中央部とにそれぞれ１つずつ配置される。３つの基部２７にはそれぞれ突出部が設けられる。従って、いずれの基部２７が押されても、ラチェット機構３０は解除される。
【００７７】
また、ケース２２のベース２３とカバー２４との間に配置された図示されない連結部で３つの基部２７が連結されてもよい。つまり、ユーザに見えない場所で３つの基部２７は互いに連結される。３つの基部２７を連結することでスライド部材４１に加わる力を左右方向９において均一化することができる。なお、３つの基部２７を連結する場合は、一つの基部２７にのみ突出部２８を設けてもよい。いずれの基部２７が押されても、３つの基部２７が連動して移動し、ラチェット機構３０は解除される。
【００７８】
また、３つの基部２７を連結する代わりに、３つのリンク部材４５をケース２２内に配して、各基部２７とハウジング３３とをリンク部材４５の１つでそれぞれ連動させる構成とすることもできる。
【００７９】
右利き用の基部２７と左利き用の基部２７との間に更に基部２７を設けることにより、左右方向９における各基部２７の長さ寸法を小さくできると共に、ボタン２６が配された場所以外の回動先端部がユーザにより押されることを防止できる。すなわち、ユーザによる表示装置２０の破損を防止できると共に、スライド部材４１をスムースにスライドさせることができる。
【００８０】
上述の変形例では、ボタン２６が、２つ又は３つの基部２７を備える例を説明したが、ボタン２６が多数の基部２７を備える構成であってもよい。多数の基部２７をケース２２に設ける場合は、基部２７は、例えば、左右方向９において、ケース２２の上端部に遍在するように設けられる。
【符号の説明】
【００８１】
１・・・複合機（画像記録装置）
２・・・天板
３・・・給紙カセット
４・・・取付部材
１０・・・本体
１８・・・操作カバー
２０・・・表示装置
２１・・・表示パネル
２２・・・ケース
２６・・・ボタン
２７・・・基部
２８・・・突出部
３０・・・ラチェット機構
３１・・・ギア
３２・・・ストッパ
４０・・・リンク機構
４１・・・スライド部材
４３・・・受け部
４５・・・リンク部材
【図１】
0005509903.tif 000002
【図２】
0005509903.tif 000003
【図３】
0005509903.tif 000004
【図４】
0005509903.tif 000005
【図５】
0005509903.tif 000006
【図６】
0005509903.tif 000007
【図７】
0005509903.tif 000008
【図８】
0005509903.tif 000009
【図９】
0005509903.tif 000010
【図１０】
0005509903.tif 000011